(57)【要約】【課題】塗膜の端部の裏移りを防ぐ塗膜テープを提案する。【解決手段】テープ基材２６上に塗付された塗膜２４の端部２５に接する外側層の塗膜テープ２２のテープ基材２６を、端部２５の位置を含む両側所定の範囲で、グラシン紙２８とする。これによりパンケーキ２１から塗膜テープ２２が引き出されるとき、この塗膜テープ２２のテープ基材２６の裏面に接する塗膜２４の端部２５が貼りついて引き剥がされる、いわゆる裏移りの発生を防ぐ。【選択図】図２
2005262448.tif 000002
【特許請求の範囲】
【請求項１】
長尺のテープ基材と、該テープ基材上に塗付された塗膜とで構成される塗膜テープを、前記塗膜を外側にしてロール状に巻いて形成したパンケーキにおいて、前記塗膜は、前記テープ基材の最外層より内側の層の所定の位置を外端部としてそれより内側の層上に設けられており、前記外端部を挟んだ両側の所定範囲と接する外側層の前記テープ基材がグラシン紙で構成される、パンケーキ。
【請求項２】
請求項1において、前記グラシン紙の前記塗膜に被さる側の面は離型剤が塗布されていることを特徴とする、パンケーキ。
【発明の詳細な説明】
【技術分野】
【０００１】
本発明は塗膜転写具において使用する、塗膜テープをロール状に巻いて形成したパンケーキに関する。
【背景技術】
【０００２】
特開２００２−３６７８８号等に記載されている、塗膜テープをロール状に巻いたパンケーキを使用した、例えば書いた文字の修正を行う塗膜転写具が一般に広く使われている。このパンケーキは図３に示されるような構成を備えたものが一般的である。図３は構成要素を明瞭に示すため、塗膜テープ２の重なった各層間に隙間がある状態で図示されているが、実際の塗膜テープ２は隙間なく密着して巻かれてパンケーキ１となっている。ここで使用される塗膜テープ２はテープ基材６とそのテープ基材６上に塗付された塗膜４とで構成されている。
【０００３】
テープ基材６は特開２００２−３６７８８号に記載されているようにプラスチックで作られており、この公報には材質の具体的な明記がされてはいないが、一般的には両面に離型処理即ち離型剤が塗布されたＰＥＴフィルムが使用されている。
【０００４】
塗膜４はパンケーキ１の最外層よりも内側となるテープ基材６上の所定の位置を端部５とし、これより内側の層へと塗付されている。ここで塗膜テープ２の外先端から塗膜４の端部５までの塗膜４の塗布がされていない範囲は、パンケーキ１を形成したとき内側層の塗膜４を保護する最外層となり、パンケーキ１を取り扱い易くしている。
【０００５】
テープ基材６の外端部１１は、繋ぎテープ１７の粘着性のある裏面に貼り付けられている。繋ぎテープ１７の同じ裏面に、テープ基材６の端部１１から少し離れてつまみ１２の一端部１３側が貼り付けられている。つまみ１２とはパンケーキ１を塗膜転写具にセットして塗膜テープ２先端を巻取りリールに取り付ける際等に、この部分をつまんで行うためのものである。繋ぎテープ１７の裏面のうちの露出した接着面１９は塗膜テープ２をパンケーキ状に形成したときに内側層のテープ基材６の上に貼り付け、巻き付けた塗膜テープ２が緩まないように固定するために設けられている。
【０００６】
このテープ基材６としてＰＥＴフィルムを使用する利点は、例えば紙製とした場合と比べると、ＰＥＴフィルムの方が強度があるので薄く作ることができ、同寸法のパンケーキ１を形成した場合、塗膜テープ２を多く巻くことができること、またコスト的にもＰＥＴフィルムのほうが安くなること等である。これらの利点により、ほとんどのテープ基材６にはＰＥＴフィルムが選択されている。
【０００７】
しかし、一方で取り扱いの悪い面もある。それはＰＥＴフィルムは表面が滑らかなため単位面積あたりの接触面積が大きく、さらに静電気を帯び易く、ＰＥＴフィルムに接したものが離れにくいことがある点である。
【０００８】
これにより、パンケーキ１を塗膜転写具に取り付け、つまみ１２を巻き取りリールに取り付けるために塗膜テープ２を引き出すとき、ＰＥＴフィルム上の塗膜の始まりとなる塗膜４の端部５において、端部５と接する外側層のＰＥＴフィルムの裏面に塗膜４の端部５が張り付いてＰＥＴフィルム上から引き剥がされるという現象、すなわち裏移りが起こるという問題がみられた。
【０００９】
この裏移りは、例えば塗膜材料の粘着性を弱めることによりある程度は防止できる。しかし塗膜材料の粘着性を弱めると、塗膜を紙面に転写した際の紙面への付着力が弱くなり、転写した塗膜の上に再度筆記した際にその塗膜が剥がれてしまうという問題が生じる。
【００１０】
【特許文献１】特許公開２００２−３６７８８号
【発明の開示】
【発明が解決しようとする課題】
【００１１】
本発明は上記課題に鑑みてなされたものであり、塗膜の端部が外側層のテープ基材の裏面に裏移りすることを防ぐことをその課題とする。これにより、従来よりも粘着性の高い塗膜材料の使用が可能となり、再筆記した際の塗膜剥がれをも防止できる。
【課題を解決するための手段】
【００１２】
上記課題を解決するために、本願発明に係る塗膜テープをロール状に巻いたパンケーキにおいては、塗膜の外端部を挟んだ両側の所定範囲と接する外側の層のテープ基材をグラシン紙とした。
【００１３】
ある実施の形態では、そのグラシン紙の塗膜に被さる側の面には離型剤が塗布されている。
【発明の効果】
【００１４】
上記の通り本願発明では、テープ基材上に塗付された塗膜の始まりとなる端部において、端部と接する外側層のテープ基材を、端部を含んだ両側所定の範囲でグラシン紙とした。グラシン紙はＰＥＴフィルムと比べると、表面が粗くなっているため単位面積あたりの接触面積が小さく、また紙製なので静電気を帯びにくい。そのため塗膜の裏移りを防止できる。ここでグラシン紙を使用する部分は、裏移りが起きる可能性のある塗膜の端部をカバーする僅かな範囲だけで足り、テープ基材の大部分は従来のＰＥＴフィルムでよい。従って、テープ基材を薄くして塗膜テープを多く巻くことができ、またコスト的に安くなるといった、従来のＰＥＴフィルムの利点はそのまま活かすことができる。
さらには、裏写しを防止できるので、従来よりも粘着性の高い塗膜材料を使用でき、転写した塗膜上に再度筆記した際の塗膜剥がれを防止できる。
また、グラシン紙の内面側即ち塗膜に被さる側の面に離型処理即ち離型剤を塗布しておくと、裏移りをより確実に防止でき、従ってさらに粘着性の高い塗膜材料を使用することが可能となる。
【発明を実施するための最良の形態】
【００１５】
以下図面を参照して本発明の実施の形態を説明する。図１を参照すると、本発明に係るパンケーキは符号２１でその全体を示されている。パンケーキ２１は塗膜テープ２２が巻芯３４にロール状に巻かれて形成されている。塗膜テープ２２はテープ基材２６と塗膜２４とで構成されている。以上は図３の従来例と同じ部材が使用されているが、本発明においてはテープ基材２６は、ＰＥＴフィルム２７とＰＥＴフィルム２７の一端部３１に取り付けられた所定の長さのグラシン紙２８とで構成されている点で異なる。
【００１６】
すなわち符号３８は繋ぎテープである。繋ぎテープ３８の粘着性のある裏面に、グラシン紙２８の一端部３０とＰＥＴフィルム２７の外端部３１とが貼り付けられている。なお、繋ぎテープ３８の裏面に設けられた粘着材の作用面が、内側層の塗膜２４に接した場合、塗膜４に対し剥離等の悪影響を与える恐れがあるため、これを確実に防ぐために繋ぎテープ３８の裏面において、ＰＥＴフィルム２７の外端部３１又はグラシン紙２８の一端部３０とは僅かにオーバーラップするように貼り付けられている。
【００１７】
グラシン紙２８の他端部２９は、従来例と同じように繋ぎテープ３７によりつまみ３２の一端部３３に繋がれている。ＰＥＴフィルム２７の内端部（図示せず）が巻芯３４の外壁に適宜な方法で取り付けられ、塗膜テープ２２は巻芯３４を芯としてロール状に巻き付けられて、パンケーキ２１となる。
【００１８】
図２にパンケーキ２１での塗膜２４の端部２５付近の構成が示される。図２は構成要素を明瞭に示すため、塗膜テープ２２の重なった各層間に隙間がある状態で図示されているが、実際の塗膜テープ２２は隙間なく密着して巻かれている。図から明らかな通り、塗膜２４の端部２５を挟んだ両側所定の範囲の部分の上にはグラシン紙２８が被さるようになっている。なお、グラシン紙２８の内側面２８ａ即ち塗膜２４に被さって接触する側の面には、離型処理即ち離型剤を塗布しておくと、より効果的である。
【図面の簡単な説明】
【００１９】
【図１】本発明の実施の形態に係るパンケーキの斜視図である。
【図２】本発明の実施の形態に係るパンケーキの構成を示す関係図である。
【図３】従来のパンケーキの構成を示す関係図である。
【符号の説明】
【００２０】
２１  パンケーキ
２２  塗膜テープ
２４  塗膜
２５  端部
２７  ＰＥＴフィルム
２８  グラシン紙
【図１】
2005262448.tif 000003
【図２】
2005262448.tif 000004
【図３】
2005262448.tif 000005